(57)【要約】【課題】簡単な構成で液晶パネルの色温度の温度依存性を補償することができるカラー液晶テレビ受像機およびカラー液晶表示装置を提供すること、並びにそれらの生産段階における効率の良い検査方法を提供する。【解決手段】液晶パネル２１の第１、第２温度と、第１、第２温度におけるＲＧＢ信号の基準色の信号レベルに対する他の２色の信号レベルの相対的な値である第１、第２補償値とを補償処理部１５のレジスタ部２５に記憶させ、これらの値から温度センサ２３により測定された液晶パネル２１の第３温度における基準色の信号レベルに対する他の２色の信号レベルの相対的な値である第３補償値を比例演算により求め、第３補償値に基づいてＲＧＢ信号の基準色以外の２色の信号レベルを補償する。【選択図】    図１
2005026809.tif 000002
【特許請求の範囲】
【請求項１】
映像信号を入力してＲＧＢ信号を出力するテレビ受像回路と、このＲＧＢ信号を変換して駆動信号を出力するＲＧＢ／駆動変換部と、この駆動信号に応じた値で液晶パネルを駆動する駆動部と、この液晶パネルの温度を測定する温度センサとを備えたカラー液晶テレビ受像機において、
前記液晶パネルの第１、第２温度と、前記第１、第２温度における前記ＲＧＢ信号の基準色の信号レベルに対する他の２色の信号レベルの相対的な値である第１、第２補償値と、前記第１、第２温度における前記ＲＧＢ信号のレベルに対する第１、第２係数とを記憶する記憶部と、
前記第１温度と前記第２温度と前記第１補償値と前記第２補償値とから前記温度センサにより測定された前記液晶パネルの第３温度における前記ＲＧＢ信号の基準色の信号レベルに対する他の２色の信号レベルの相対的な値である第３補償値を比例演算により求め、且つ前記第１温度と前記第２温度と前記第１係数と前記第２係数とから前記第３温度における前記ＲＧＢ信号のレベルに対する第３係数を比例演算により求める演算部とを具備し、
前記演算部は前記テレビ受像回路と前記ＲＧＢ／駆動変換部との間に介装され、前記ＲＧＢ信号の基準色については前記第３係数を乗算して出力し、前記ＲＧＢ信号の基準色以外の２色については前記第３係数及び前記第３補償値を乗算して出力することを特徴とするカラー液晶テレビ受像機。
【請求項２】
請求項１に記載のカラー液晶テレビ受像機の検査方法であって、評価用の前記カラー液晶テレビ受像機の電源が投入されてから所定時間が経過したかを、または前記液晶パネルが所定温度になったかを検出する第１検出工程と、
前記評価用のカラー液晶テレビ受像機に可変のテスト信号を与え、前記液晶パネルが最適な状態に調整されたときの前記液晶パネルの温度と前記第１補償値に相当する値と前記第１係数に相当する値とを得る第１調整工程と、
出荷用の前記カラー液晶テレビ受像機の電源が投入されてから前記所定時間より短い時間が経過した後に、前記出荷用のカラー液晶テレビ受像機に前記可変のテスト信号を与え、前記液晶パネルが前記最適な状態に調整されたときの前記液晶パネルの温度と前記第２補償値に相当する値と前記第２係数に相当する値とを得る第２調整工程と、
前記第１調整工程で得られた温度、前記第１補償値に相当する値及び前記第１係数に相当する値、並びに前記第２調整工程で得られた温度、前記第２補償値に相当する値及び前記第２係数に相当する値を夫々前記記憶部の前記第１温度、第１補償値、第１係数、第２温度、第２補償値、第２係数を記憶する領域に記憶させる工程とを具備することを特徴とするカラー液晶テレビ受像機の検査方法。
【請求項３】
ＲＧＢ信号を変換して駆動信号を出力するＲＧＢ／駆動変換部と、この駆動信号に応じた値で液晶パネルを駆動する駆動部と、この液晶パネルの温度を測定する温度センサとを備えたカラー液晶表示装置において、
前記液晶パネルの第１、第２温度と、前記第１、第２温度における前記ＲＧＢ信号の基準色の信号レベルに対する他の２色の信号レベルの相対的な値である第１、第２補償値とを記憶する記憶部と、
前記第１温度と前記第２温度と前記第１補償値と前記第２補償値とから前記温度センサにより測定された前記液晶パネルの第３温度における前記ＲＧＢ信号の基準色の信号レベルに対する他の２色の信号レベルの相対的な値である第３補償値を比例演算により求める演算部とを具備し、
前記演算部は、前記ＲＧＢ信号の基準色以外の２色の信号レベルを前記第３補償値に基づいて補償して出力することを特徴とするカラー液晶表示装置。
【請求項４】
請求項３に記載のカラー液晶表示装置において、前記記憶部は更に前記第１、第２温度における前記ＲＧＢ信号のレベルに対する第１、第２係数とを記憶し、前記演算部は前記第１温度と前記第２温度と前記第１係数と第２係数とから前記第３温度における前記ＲＧＢ信号のレベルに対する第３係数を比例演算により求め、且つ前記ＲＧＢ信号のレベルを前記第３係数により補償することを特徴とするカラー液晶表示装置。
【請求項５】
請求項３に記載のカラー液晶表示装置において、前記記憶部は更に制御フラグを記憶し、前記制御フラグが所定の値である場合に、前記演算部は前記第１温度と前記第２温度と前記第１補償値と前記第２補償値とから前記第３温度における前記基準色の信号レベルに対する他の２色の信号レベルの相対的な値である第３補償値を比例演算により求めることを特徴とするカラー液晶表示装置。
【請求項６】
請求項３に記載のカラー液晶表示装置の検査方法であって、評価用の前記カラー液晶表示装置の電源が投入されてから所定時間が経過したかを、または前記液晶パネルが所定温度になったかを検出する第１検出工程と、
前記評価用のカラー液晶表示装置に可変のテスト信号を与え、前記液晶パネルが最適な状態に調整されたときの前記液晶パネルの温度と前記第１補償値に相当する値とを得る第１調整工程と、
出荷用の前記カラー液晶表示装置の電源が投入されてから前記所定時間より短い時間が経過した後に、前記出荷用のカラー液晶表示装置に前記可変のテスト信号を与え、前記液晶パネルが前記最適な状態に調整されたときの前記液晶パネルの温度と前記第２補償値に相当する値とを得る第２調整工程と、
前記第１調整工程で得られた温度及び前記第１補償値に相当する値、並びに前記第２調整工程で得られた温度及び前記第２補償値に相当する値を夫々前記記憶部の前記第１温度、第１補償値、第２温度、第２補償値を記憶する領域に記憶させる工程とを具備することを特徴とするカラー液晶表示装置の検査方法。
【発明の詳細な説明】
【０００１】
【発明の属する技術分野】
本発明は、カラーテレビ受像機、カラー液晶表示装置及びそれらの検査方法に関するものである。
【０００２】
【従来の技術】
カラー液晶パネルは、薄型化が可能であり、低消費電力であることからテレビ受像機、パーソナルコンピュータ等の表示装置として広く用いられている。しかし、液晶パネルの温度は、その裏側に配されたバックライトにより加熱されて上昇するが、液晶パネルの色温度、輝度には温度依存性があるため、画質を一定に保つための温度補償対策が必要となる。尚、液晶パネルとは、いわゆる液晶ディスプレイのことをいう。液晶表示装置とは、液晶パネルと周辺回路等とを含むものをいう。
【０００３】
一方、カラー液晶テレビ受像機またはカラー液晶表示装置等の出荷検査においては、電源を投入して所定時間、例えば２時間程度経過してから最終の検査工程で色温度、輝度を調整していた。これは、液晶パネルのＲ（赤），Ｇ（緑），Ｂ（青）の透過率等の特性に温度依存性があるため、バックライトにより加熱される液晶パネルの温度が安定状態になった後に、最適な色温度、輝度に調整してから出荷する必要があるからである。また、前段階の各検査工程においても、最適な色温度、輝度で各種の検査を行うことが望ましいことから、各検査工程でも最適な色温度、輝度に調整してから各種の検査を行っている。また、検査時間を短くするために、検査対象であるテレビ受像機等にビニールカバーをかけて液晶パネルの温度上昇を加速させることも考えられるが、検査をする状況が実際の動作環境と異なるという問題、および過度の温度上昇により液晶パネル周辺の半導体部品に悪影響を与える恐れがあるという問題がある。
【０００４】
また、液晶パネルの画質を一定に保つための温度補償対策として、以下のものが知られている。特許文献１には、液晶パネルの色温度が液晶パネルの温度変化の影響を受けて変動するのを防止するために、液晶パネルの生産工程において特定の色温度について温度範囲ごとにＲとＢに対する温度補償用のパラメータセットを準備し、温度センサで検出された液晶パネルの温度を含む温度範囲のパラメータセットからＲ，Ｇの映像信号とＲ，Ｇの駆動電圧とを対応付ける変換データを作成し、この変換データを輝度データ変換テーブルにロードし、この変換データに基づいてＲＧＢ映像信号を液晶パネルの駆動電圧に変換することが示されている。尚、パラメータセットとしては、Ｒ，Ｇの映像信号とＲ，Ｇの駆動電圧とを対応付ける折れ線グラフに関する情報が例示されている。
【０００５】
また、特許文献２には、液晶パネルに表示される白が所望の色温度になるように液晶表示装置の色設計を行った場合に、入力映像データのレベルに対応して表示出力の色度データが変移するという不具合、及び色度データが液晶パネルの温度変動の影響を受けて変移するという不具合を解決するために、液晶パネルの温度を温度センサで測定し、その温度に対応する暗時表示光のＸＹＺ表示系における三刺激値で入力映像データの各信号を補正することが示されている。しかしながら、暗時表示光のＸＹＺ表示系における三刺激値を使用するという点で本発明とは考え方を異にする。
【０００６】
また、特許文献３には、液晶パネルの温度が変動した場合でも輝度を一定に保つために、温度センサで液晶パネルの温度を測定し、ルックアップテーブルに温度範囲ごとに格納されている表示データの値に対応する液晶パネルの駆動電圧の補正量のテーブルの内、測定された温度を含む温度範囲のテーブルに基づいて、ルックアップテーブルに入力された表示データの値に対応する駆動電圧の補正量を液晶駆動電圧発生回路に印加することが示されている。さらに、特許文献４には、液晶パネルがバックライトにより加熱されて温度が上昇すると、輝度が低下し、更に上昇すると液晶パネルが表示劣化するという問題を解決するために、温度センサで液晶パネルの温度を測定し、光センサで輝度を測定し、測定された温度及び輝度に基づいてバックライトの調光率および液晶ドライバの駆動電圧を制御することが示されている。しかしながら、特許文献３及び特許文献４は、色温度の補償（補正）の問題を解決するものではない。
【０００７】
【特許文献１】
特開２００２−２３７０２号公報（段落９〜１５、図１〜図４）
【特許文献２】
特開２０００−２６７６２９号公報（段落１２〜２０、図１）
【特許文献３】
特開平６−３３７４０２号公報（段落２〜５、図３）
【特許文献４】
特開平９−２９２６０１号公報（段落７〜１１、図１〜図３）
【０００８】
【発明が解決しようとする課題】
しかしながら、上記従来のテレビ受像機等の出荷の検査方法においては、電源投入から所定時間が経過しないと最終検査工程に入れないために、全体の検査時間が長くなり、生産効率が低いという問題があった。また、各検査工程で色温度、輝度を調整する必要があるため、調整工数が多いという問題もあった。さらに、各検査工程に色温度、輝度を調整するための設備を設けなければならないので、設備コストが高いという問題もあった。
【０００９】
また、特許文献１の液晶表示装置においては、輝度変換テーブルに加えて温度範囲ごとにＲとＢに対する温度補償用のパラメータセットを記憶するメモリーを備えなければならない。更に、輝度データ変換テーブルに格納されるデータは、前記パラメータセットから作成されて、ロードされる。このため、輝度変換テーブルにＲＯＭではなくＲＡＭを使用しなければならず、製品価格が高くなるという問題がある。
【００１０】
本発明は、上記問題点を解決するものであって、その課題とするところは、簡潔な構成で液晶パネルの色温度の温度依存性を補償することができるカラー液晶テレビ受像機およびカラー液晶表示装置を提供すること、並びにそれらの生産段階における効率の良い検査方法を提供することにある。
【００１１】
【課題を解決するための手段】
本発明は、カラー液晶テレビ受像機において、液晶パネルの温度変化による色温度、輝度の変動量と液晶パネルの温度の変化量とが比例関係にあることに着目してなされたものであり、液晶パネルの第１、第２温度と、第１、第２温度におけるＲＧＢ信号の基準色の信号レベルに対する他の２色の信号レベルの相対的な値である第１、第２補償値とを記憶させ、これらから温度センサにより測定された液晶パネルの第３温度における前記ＲＧＢ信号の基準色の信号レベルに対する他の２色の信号レベルの相対的な値である第３補償値を比例演算により求め、第１、第２温度におけるＲＧＢ信号のレベルに対する第１、第２係数を記憶させ、これらと第１、第２温度とから第３温度におけるＲＧＢ信号のレベルに対する第３係数を比例演算により求め、且つＲＧＢ信号の基準色については第３係数を乗算することにより、ＲＧＢ信号の基準色以外の２色については第３係数及び第３補償値を乗算することによりＲＧＢ信号の補償を行う。このようにすることで、液晶パネルの温度変化による色温度、輝度の変動が補償され、温度変化の影響を受けることなく液晶パネルの画質が一定に保たれる。
【００１２】
また、本発明は、前記カラーテレビ受像機の検査方法において、評価用のカラー液晶テレビ受像機の電源が投入されてから所定時間が経過したかを、または液晶パネルが所定温度になったかを検出する第１検出工程と、評価用のカラー液晶テレビ受像機に可変のテスト信号を与え、前記液晶パネルが最適な状態に調整されたときの液晶パネルの温度と第１補償値に相当する値と第１係数に相当する値とを得る第１調整工程と、出荷用のカラー液晶テレビ受像機の電源が投入されてから前記所定時間より短い時間が経過した後に、出荷用のカラー液晶テレビ受像機に可変のテスト信号を与え、液晶パネルが前記最適な状態に調整されたときの液晶パネルの温度と第２補償値に相当する値と第２係数に相当する値とを得る第２調整工程と、第１調整工程で得られた温度、第１補償値に相当する値及び第１係数に相当する値、並びに第２調整工程で得られた温度、第２補償値に相当する値及び第２係数に相当する値を夫々第１温度、第１補償値、第１係数、第２温度、第２補償値、第２係数としてカラー液晶テレビ受像機に記憶させる工程とを具備する。このようにすることで、出荷用のカラー液晶テレビ受像機の検査時間を短くできると共に、出荷後においても温度変化の影響を受けることなく液晶パネルは一定の色温度、輝度で表示される。
【００１３】
さらに、本発明は、カラー液晶表示装置において、液晶パネルの第１、第２温度と、第１、第２温度におけるＲＧＢ信号の基準色の信号レベルに対する他の２色の信号レベルの相対的な値である第１、第２補償値とを記憶させ、これらから温度センサにより測定された液晶パネルの第３温度における前記ＲＧＢ信号の基準色の信号レベルに対する他の２色の信号レベルの相対的な値である第３補償値を比例演算により求め、且つ第３補償値に基づいてＲＧＢ信号の基準色以外の他の２色の信号レベルを補償する。このようにすることで、液晶パネルの温度変化による色温度の変動が補償され、温度変化の影響を受けることなく液晶パネルの画質が一定に保たれる。
【００１４】
さらに、本発明は、前記カラー液晶表示装置の検査方法において、評価用のカラー液晶表示装置の電源が投入されてから所定時間が経過したかを、または液晶パネルが所定温度になったかを検出する第１検出工程と、評価用のカラー液晶表示装置に可変のテスト信号を与え、前記液晶パネルが最適な状態に調整されたときの液晶パネルの温度と第１補償値に相当する値とを得る第１調整工程と、出荷用のカラー液晶表示装置の電源が投入されてから前記所定時間より短い時間が経過した後に、出荷用のカラー液晶表示装置に可変のテスト信号を与え、液晶パネルが前記最適な状態に調整されたときの液晶パネルの温度と第２補償値に相当する値に相当する値とを得る第２調整工程と、第１調整工程で得られた温度及び第１補償値に相当する値、並びに第２調整工程で得られた温度及び第２補償値に相当する値を夫々第１温度、第１補償値、第２温度、第２補償値としてカラー液晶表示装置に記憶させる工程とを具備する。このようにすることで、出荷用のカラー液晶表示装置の検査時間を短くできると共に、出荷後においても温度変化の影響を受けることなく液晶パネルは一定の色温度で表示される。
【００１５】
【発明の実施の形態】
図１は、本発明に係るカラー液晶テレビ受像機１（以下、「テレビ受像機」という）のブロック図である。図１には、その検査に用いる検査装置３およびカラーアナライザー４も併せて示されている。尚、図１では本発明の直接的事項ではない音声回路等は省略されている。入力端子１１は、不図示のアンテナが接続される端子である。入力端子１１から入る映像信号はテレビ受像回路１２に入り、テレビ受像回路１２から第１ＲＧＢ信号１３が出力される。テレビ受像回路１２は、チューナ、マトリクス回路等から構成される。第１ＲＧＢ信号１３は補償処理部１５に送られる。補償処理部１５は、カラー表示可能な液晶パネル２１の温度変化による色温度、輝度の変動を補償するためのものであり、第１ＲＧＢ信号１３から第２ＲＧＢ信号１４を生成し、これをＲＧＢ／駆動変換部１６に送る。補償処理部１５の詳細については後述する。以下の説明では、第１ＲＧＢ信号１３の各色に対応する信号を夫々第１Ｒ信号、第１Ｇ信号、第１Ｂ信号という。また、第２ＲＧＢ信号１４の各色に対応する信号を夫々第２Ｒ信号、第２Ｇ信号、第２Ｂ信号という。
【００１６】
ＲＧＢ／駆動変換部１６は、第２ＲＧＢ信号１４を当該信号のレベルに応じた液晶パネル２１の駆動信号に変換する。駆動信号は信号線ドライバ２０に送られる。信号線ドライバ２０は、駆動信号に応じた出力レベルで液晶パネル２１の信号線を駆動する。このＲＧＢ／駆動変換部１６の変換動作により、映像信号に対する液晶パネル２１の輝度の特性をＣＲＴに合わせることが可能となる。また、液晶パネル２１がコントラスト比の高いノーマリーホワイトモードで使用されている場合には、液晶パネル２１の駆動電圧が高くなると光透過率が低下する、すなわち輝度が落ちるので、ＲＧＢ／駆動変換部１６による変換が必要となる。ＲＧＢ／駆動変換部１６は、Ｒ，Ｇ，ＢごとにＲＯＭで構成されており、各第２ＲＧＢ信号１４によってＲＯＭのアドレスが指定され、そのアドレスの内容が各第２ＲＧＢ信号１４に応じた駆動信号の値となっている。
【００１７】
映像信号中の同期信号は、テレビ受像回路１２から制御部１８に送られる。制御部１８は、この信号から走査信号を生成し、これを走査線ドライバ１９に送る。制御部１８はＣＰＵおよびその他の回路から構成される。制御部１８にはメモリー１７が接続され、メモリー１７にはテレビ受像機１の動作を制御するプログラム、検査装置３と交信するためのプログラム及び各種のデータが格納される。また、メモリー１７は制御部１８の作業用領域としても使用される。
液晶パネル２１の背面にはバックライト２２が設けられており、バックライト２２は制御部１８によりオン／オフ制御される。液晶パネル２１には、その温度を測定するための温度センサ２３が取り付けられており、温度センサ２３の出力は制御部１８に送られる。
【００１８】
図２は、補償処理部１５のブロック図である。補償処理部１５は、補償演算部２４とレジスタ部２５とからなる。レジスタ部２５には制御フラグ等のデータを格納する領域が確保されており、これらのデータは制御部１８により書き込まれる。また、補償演算部２４の動作は制御フラグの内容により規定される。補償演算部２４は、制御フラグその他レジスタ部２５に格納されたデータを参照して第１ＲＧＢ信号１３から第２ＲＧＢ信号１４を生成する。尚、補償演算部２４は、例えばマイクロプログラム方式のＣＰＵとロジック回路とを組み合わせたもので構成される。
【００１９】
レジスタ部２５には、第１温度、第１補償値、第１係数、第２温度、第２補償値および第２係数も格納される。第１補償値は、第１温度において液晶パネル２１を所望の色温度にするための補償値である。第１補償値は、ＲＧＢ信号の内、基準とする色（以下、「基準色」という）、例えばＧ、の信号レベルを基準としたときに、他の２つの色Ｒ、Ｂの信号レベルの相対的な値、例えば比率である。Ｒの相対的な値を第１補償値Ｒ、Ｂの相対的な値を第１補償値Ｂということとする。例えば、Ｇを基準値１２８としたときに、Ｒを強くし、Ｂを弱くすると所望の色温度が得られる場合には、例えば、Ｒの相対値を１３３に、Ｂの相対値を１２３にする。この場合、第１補償値Ｒは１３３／１２８であり、第１補償値Ｂは１２３／１２８である。尚、上記の比率に代えて、２つの相対値（１３３，１２３）をレジスタ部２５に格納し、補償演算部２４により相対値を定数である基準値で除算するようにしてもよいが、この場合は２つの相対値（１３３，１２３）が第１補償値となる。
【００２０】
また、第１係数は、基準色である第１Ｇ信号に対する第２Ｇ信号の比率である。例えば、第１係数が１．１である場合、第２Ｇ信号の信号レベルは、第１Ｇ信号の１．１倍となる。また、第２補償値および第２係数は、第２温度における第１補償値および第１係数に相当するものである。
【００２１】
次に、補償演算部２４の動作と制御フラグの値との関係について説明する。例えば、制御フラグの値が０である場合は、補償演算部２４への入力信号がそのまま出力される。つまり、第２ＲＧＢ信号１４は第１ＲＧＢ信号１３と同一になる。制御フラグの値が１である場合、第２ＲＧＢ信号１４は、第１ＲＧＢ信号１３に対して第１補償値および第１係数に基づいて演算された信号となる。具体的には、第２ＲＧＢ信号１４は下式により生成される。
第２Ｇ信号＝第１Ｇ信号＊第１係数    （１）
第２Ｒ信号＝第１Ｒ信号＊第１係数＊第１補償値Ｒ    （２）
第２Ｂ信号＝第１Ｂ信号＊第１係数＊第１補償値Ｂ    （３）
【００２２】
制御フラグの値が２である場合、第３温度における第２ＲＧＢ信号１４は、下式により生成される。
第２Ｇ信号＝第１Ｇ信号＊第３係数    （４）
第２Ｒ信号＝第１Ｒ信号＊第３係数＊｛第２補償値Ｒ＋
（第１補償値Ｒ−第２補償値Ｒ）＊ΔＴＴ／ΔＴ｝    （５）
第２Ｂ信号＝第１Ｂ信号＊第３係数＊｛第２補償値Ｂ＋
（第１補償値Ｂ−第２補償値Ｂ）＊ΔＴＴ／ΔＴ｝    （６）
ここで、ΔＴ＝（第１温度−第２温度）、ΔＴＴ＝（第３温度−第２温度）であり、第３係数＝｛第２係数＋（第１係数−第２係数）＊ΔＴＴ／ΔＴ｝である。また、式（５）の中括弧で囲まれた部分が第３補償値Ｒであり、式（６）の中括弧で囲まれた部分が第３補償値Ｂである。そして、両者を第３補償値という。
【００２３】
式（４）〜（６）は、液晶パネル２１の温度変化による色温度、輝度の変動量が温度の変化量と比例関係にあることを利用したものである。式（４）では、第３温度における第２Ｇ信号は、第１、第２温度と第１、第２温度におけるＧ信号のレベルに対する第１、第２係数とから比例演算により第３係数を求め、第３係数により第１Ｇ信号を補償することにより、具体的には第３係数を第１Ｇ信号に乗算することにより求められる。また、式（５）、（６）では、第３温度における第２Ｒ信号（第２Ｂ信号）は、第１、第２温度と第１、第２温度におけるＧ信号のレベルに対する第１、第２係数とから比例演算により第３係数を求め、且つ第１、第２温度と第１、第２温度におけるＲＧＢ信号の基準色の信号レベルに対する他の２色の信号レベルの相対的な値である第１、第２補償値とから比例演算により第３補償値を求め、第２Ｒ信号（第２Ｂ信号）を第３係数及び第３補償値に基づいて補償することにより、具体的には第３係数と第３補償値とを第１Ｒ信号（第１Ｂ信号）に乗算することにより求められる。
【００２４】
また、上記の第１温度、第１補償値、第１係数等は、レジスタ部２５が揮発性である場合は、メモリー１７にも記憶される。式（４）〜（６）の計算は、例えば以下のように行われる。定期的に温度センサ２３により第３温度が測定されると、第３温度がレジスタ部２５に格納される。補償演算部２４は、第１、第２補償値、第１、第２、第３温度等から、第３係数、第３係数＊第３補償値Ｒ、第３係数＊第３補償値Ｂを計算し、その結果をレジスタ部２５の該当領域に格納する。補償演算部２４は、常時各第１ＲＧＢ信号１３と前記の該当領域に格納された各データとを乗算することにより各第２ＲＧＢ信号１４を生成する。また、第１温度、第１補償値、第１係数等の領域をレジスタ部２５に設けず、これらをメモリー１７に記憶させ、制御部１８がメモリー１７に記憶されたデータから第３係数、第３係数＊第３補償値Ｒおよび第３係数＊第３補償値Ｂを計算し、計算結果をレジスタ部２５の該当領域に格納するようにしてもよい。ここで、補償処理部１５のレジスタ部２５および／またはメモリー１７が本発明の記憶部に相当する。また、補償処理部１５の補償演算部２４または制御部１８と共働する補償演算部２４が、本発明の演算部に相当する。
【００２５】
図１、図２を参照しつつテレビ受像機１の生産工程における検査方法について説明する。評価用テレビ受像機１（これの構造は、図１のテレビ受像機と同じ。以下、「評価機」という）に検査装置３が接続される。検査装置３から評価機の入力端子１１にテスト用映像信号（テスト用信号）が送られる。これに代えて、テレビ受像回路１２を電気的に切り離して、補償処理部１５にテスト用ＲＧＢ信号（テスト用信号）を送るようにしてもよい。また、検査装置３から制御部１８に各種の指令およびデータが送られる。液晶パネル２１の前面にはカラーアナライザー４が取り付けられる。カラーアナライザー４により測定された色温度および輝度は、検査装置３に送られ、検査装置３の不図示の表示部に表示される。また、温度センサ２３によって測定された液晶パネル２１の温度は、制御部１８を介して検査装置３に送られる。
【００２６】
また、検査装置３には、不図示の３つの調整用のボリュームが設けられている。第１のボリュームを回転させると、テスト用信号の第１Ｇ信号の信号レベルに対する第１Ｒ信号の信号レベルの比率が増減する。第２のボリュームを回転させると、第１Ｇ信号の信号レベルに対する第１Ｂ信号の信号レベルの比率が増減する。第３のボリュームを回転させると、上記２つの比率を維持しつつ各信号のレベルを増減する。標準の信号レベルに対する第１Ｇ信号の信号レベルの比率が検査装置３で監視される。
【００２７】
まず、評価機の電源が投入されると、検査装置３から制御部１８に制御フラグを０にする指令が送られ、この指令を受けた制御部１８は補償処理部１５のレジスタ部２５の制御フラグを０にする。この結果、テスト用信号が補償処理部１５によって補償されることなく液晶パネル２１に表示される。液晶パネル２１が所定温度になったとき、または電源が投入されてから所定時間が経過したときに、色温度及び輝度の調整が行われる。ここで、所定温度になったとき、または所定時間経過した後としたのは、バックライト２２により加熱された液晶パネル２１の温度が安定状態（変動しない状態）になってから調整をするためである。
【００２８】
調整は以下のように行われる。ここでは、Ｇ（緑）が基準色であるとして説明する。検査装置３の表示部に表示されたカラーアナライザー４の測定値を検査担当者が目視で監視しつつ、液晶パネル２１の色温度および輝度を最適値、例えば、９０００Ｋの白色になるように上記３つのボリュームを調整する。このときの液晶パネル２１の温度、テスト用信号の第１Ｇ信号の信号レベルに対する第１Ｒ信号の信号レベルの比率、テスト用信号の第１Ｇ信号の信号レベルに対する第１Ｂ信号の信号レベルの比率、及び標準の信号レベルに対する第１Ｇ信号の信号レベルの比率が検査装置３に記憶される。この記憶されたデータは製品検査の対象であるカラー液晶テレビ受像機１の検査工程で後に使用される。
【００２９】
次に、出荷用のテレビ受像機１（図１）の検査工程について説明する。評価機の検査の場合と同様に、テレビ受像機１に検査装置３を接続する。テレビ受像機１の電源が投入された後、検査装置３から制御部１８に制御フラグを１にする指令が送られ、制御部１８はレジスタ部２５の制御フラグを１にする。また、検査装置３に記憶されている液晶パネル２１の温度、テスト用信号の第１Ｇ信号の信号レベルに対する第１Ｒ信号の信号レベルの比率、テスト用信号の第１Ｇ信号の信号レベルに対する第１Ｂ信号の信号レベルの比率及び標準の信号レベルに対する第１Ｇ信号の信号レベルの比率が制御部１８に送られ、これらのデータは夫々第１温度、第１補償値Ｒ、第１補償値Ｂ及び第１係数としてレジスタ部２５の該当領域に制御部１８により書き込まれる。これらのデータは、メモリー１７の対応領域にも同様に書き込まれる。また、検査装置３からテレビ受像機１の入力端子１１にテスト用映像信号が送られる。前述の場合と同様に、テスト用ＲＧＢ信号を補償処理部１５に入力するようにしてもよい。この結果、次の工程で制御フラグが０にされるまでは、テスト信号が式（１）〜（３）により変換されて液晶パネル２１に表示される。
【００３０】
そして、電源を投入してから暫くしたら、例えば１分から３０分程度経過したら、色温度、輝度の調整を行う。このときの液晶パネル２１の温度は、電源投入後の時間が短いため、第１温度よりも低い。調整は以下のように行われる。検査装置３から制御フラグを０にする指令が制御部１８に送られ、液晶パネル２１の色温度、輝度を最適値（前述の工程の最適値と同じ値）にするように、検査担当者が検査装置３の第１〜第３のボリュームを調整する。ボリューム調整が終わると、このときの温度センサ２３により測定された液晶パネル２１の温度、テスト用信号の第１Ｇ信号の信号レベルに対する第１Ｒ信号の信号レベルの比率、テスト用信号の第１Ｇ信号の信号レベルに対する第１Ｂ信号の信号レベルの比率及び標準の信号レベルに対する第１Ｇ信号の信号レベルの比率が制御部１８に送られ、これらは夫々第２温度、第２補償値Ｒ、第２補償値Ｂ、および第２係数としてレジスタ部２５の該当領域に制御部１８により書き込まれる。これらのデータは、メモリー１７の対応領域にも同様に書き込まれる。その後、検査装置３は、制御フラグを２にするように制御部１８に指示する。
【００３１】
次に、後続の検査工程で各種の検査が行われる。各種の検査の時点では、液晶パネル２１の温度は、第１温度、第２温度とは異なった値になっている。しかし、制御フラグが２に設定されているので、第２ＲＧＢ信号１４は式（４）〜（６）で示される値に自動的に調整される。この結果、液晶パネル２１の温度変化に対して色温度、輝度が補償され、各検査の工程で最適の色温度、輝度で検査を行うことができる。また、上記後続の検査工程で色温度、輝度の調整を行う必要がないので、検査に要する時間を短縮することができる。更に、上記後続の検査工程で検査装置３およびカラーアナライザー４などの検査用の設備を備える必要がなくなり、設備コストを低減することができる。更に、採集するのに長時間を要する第１温度、第１補償値及び第１係数を評価機を用いて採集し、これを出荷用のテレビ受像機１の検査に使用しているので、出荷用のテレビ受像機１の検査時間を短くすることができる。
【００３２】
出荷後においては、テレビ受像機１の電源が投入されると、メモリー１７に記憶されている制御フラグ、第１温度、第１補償値等のデータは、制御部１８により補償処理部１５のレジスタ部２５の該当領域に書き込まれる。また、所定間隔、例えば１秒間隔で温度センサ２３から出力される現在の液晶パネル２１の温度がレジスタ部２５に第３温度としてセットされる。また、出荷検査の終了時点では制御フラグは２となっているので、第２ＲＧＢ信号１４は式（４）〜（６）で示される値に自動的に調整される。この結果、液晶パネル２１の温度変化に対して色温度、輝度が補償され、視聴者は最適の色温度、輝度でテレビを観賞することができる。
【００３３】
図３は、カラー液晶表示装置２（以下、「液晶表示装置」という）のブロック図である。図１との相違は、テレビ受像回路１２がないこと、及び入力端子１１Ａから第１ＲＧＢ信号１３が入力されることである。この液晶表示装置２は、テレビ受像機１、その他パーソナルコンピュータ等に用いられるもので、液晶パネル２１及びバックライト２２その他液晶パネル２１を制御するために必要なものを含む。図３には、液晶表示装置２の検査に使用する検査装置３及びカラーアナライザー４が併せて示されている。液晶表示装置２の出荷の検査も上述のテレビ受像機１の検査方法と同様の方法で行われる。
【００３４】
以上述べた実施形態においては、本発明をカラー表示可能な液晶パネル２１を用いたテレビ受像機１および液晶表示装置２に適用した場合について説明したが、液晶パネル２１と同様な温度依存性を有するものであれば、他のカラー表示パネルを備えたテレビ受像機１等にも適用できる。
【００３５】
また、上記実施形態では、色温度及び輝度を温度補償しつつ液晶パネル２１の表示を最適の状態にする場合について説明したが、色温度のみを最適な状態にする場合についても本発明を適用できる。
【００３６】
【発明の効果】
本発明によれば、液晶パネルの第１、第２温度と、第１、第２温度におけるＲＧＢ信号の基準色の信号レベルに対する他の２色の信号レベルの相対的な値である第１、第２補償値とを記憶させ、これらの値から温度センサにより測定された液晶パネルの第３温度における基準色の信号レベルに対する他の２色の信号レベルの相対的な値である第３補償値を比例演算により求め、第３補償値に基づいてＲＧＢ信号の基準色以外の２色の信号レベルを補償するようにしたので、簡潔な構成で液晶パネルの温度変化による色温度の変動を自動的に補償することのできるカラー液晶テレビ受像機およびカラー液晶表示装置を提供することができる。また、カラー液晶テレビ受像機等の検査においては、検査に要する時間を短縮することができると共に、設備コストを低減することができる。
【図面の簡単な説明】
【図１】本発明に係るカラー液晶テレビ受像機のブロック図である。
【図２】補償処理部のブロック図である。
【図３】本発明に係るカラー液晶表示装置のブロック図である。
【符号の説明】
１    カラー液晶テレビ受像機（テレビ受像機）
２    カラー液晶表示装置（液晶表示装置）
３    検査装置
４    カラーアナライザー
１２  テレビ受像回路
１３  第１ＲＧＢ信号
１４  第２ＲＧＢ信号
１５  補償処理部
１６  ＲＧＢ／駆動変換部
１７  メモリー
１８  制御部
２１  液晶パネル
２３  温度センサ
２４  補償演算部
２５  レジスタ部
【図１】
2005026809.tif 000003
【図２】
2005026809.tif 000004
【図３】
2005026809.tif 000005